(57)【要約】【課題】ビス止めなどの取り付け箇所を少なくし、取り付け作業性の向上を図った蝶番を提供する。【解決手段】ボックス本体部に取り付けられる蝶番本体３に上下動自在に支持軸４を備え、この支持軸４の下端にはＬ型の曲がり部４ａを備え、前記支持軸４を上方に付勢するばね６を設け、前記支持軸４を下降させた状態において前記曲がり部４ａは蝶番本体３の下端に形成された係合凹部５に対して係脱自在とし、前記係合凹部５に対する支持軸４の曲がり部４ａの係合を外した状態において支持軸４はばね６により付勢されて上方に持ち上げられ、蝶番本体３から大きく上方に突出するように構成した。【選択図】    図１
2005264633.tif 000002
【特許請求の範囲】
【請求項１】
ボックス本体部に取り付けられる蝶番本体に上下動自在に支持軸を備え、この支持軸の下端にはＬ型の曲がり部を備え、前記支持軸を上方に付勢して支持軸の上端を蝶番本体の上端から突出させるばねを設け、前記支持軸を下降させた状態において前記曲がり部は蝶番本体の下端に形成された係合凹部に対して係脱自在としたことを特徴とする蝶番。
【請求項２】
支持軸の曲がり部を係合凹部に対して係合させた状態において蝶番本体の上端からの支持軸の突出長さは僅かであることを特徴とする請求項１記載の蝶番。
【請求項３】
ボックス本体部に取り付けられる蝶番本体に上下動自在に支持軸を備え、この支持軸の上端にはＬ型の曲がり部を備え、前記支持軸を下方に付勢して支持軸の下端を蝶番本体の下端から突出させるばねを設け、前記支持軸を上昇させた状態において前記曲がり部は蝶番本体の上端に形成された係合凹部に対して係脱自在としたことを特徴とする蝶番。
【請求項４】
支持軸の曲がり部を係合凹部に対して係合させた状態において蝶番本体の下端からの支持軸の突出長さは僅かであることを特徴とする請求項３記載の蝶番。
【発明の詳細な説明】
【技術分野】
【０００１】
本発明は、例えば操作ボックスの扉をボックス本体部に開閉自在に取り付けるための蝶番に関するものである。
【背景技術】
【０００２】
従来のこの種蝶番としては例えば特許文献１に開示されているような２枚の羽根板を軸により回動自在に連結したものが知られている。
【特許文献１】特開２００３−６４９３２号公報
【発明の開示】
【発明が解決しようとする課題】
【０００３】
上記特許文献１に開示されている従来の蝶番の構成では、扉を家具などの本体部に取り付けるに際し、一方の羽根板を本体部にビス止めし、また他方の羽根板を扉にビス止めしなければならず、ビス止め箇所が多く、その取り付け作業に手間を要するという問題があった。
【０００４】
本発明の目的は、このような課題を解決するものであり、ビス止めなどの取り付け箇所を少なくし、取り付け作業性の向上を図った蝶番を提供することにある。
【課題を解決するための手段】
【０００５】
本発明の請求項１に記載の蝶番は、ボックス本体部に取り付けられる蝶番本体に上下動自在に支持軸を備え、この支持軸の下端にはＬ型の曲がり部を備え、前記支持軸を上方に付勢して支持軸の上端を蝶番本体の上端から突出させるばねを設け、前記支持軸を下降させた状態において前記曲がり部は蝶番本体の下端に形成された係合凹部に対して係脱自在としたことを特徴とする。
【０００６】
請求項２に記載の蝶番は、支持軸の曲がり部を係合凹部に対して係合させた状態において蝶番本体の上端からの支持軸の突出長さは僅かであることを特徴とする。
請求項３に記載の蝶番は、ボックス本体部に取り付けられる蝶番本体に上下動自在に支持軸を備え、この支持軸の上端にはＬ型の曲がり部を備え、前記支持軸を下方に付勢して支持軸の下端を蝶番本体の下端から突出させるばねを設け、前記支持軸を上昇させた状態において前記曲がり部は蝶番本体の上端に形成された係合凹部に対して係脱自在としたことを特徴とする。
【０００７】
請求項４に記載の蝶番は、支持軸の曲がり部を係合凹部に対して係合させた状態において蝶番本体の下端からの支持軸の突出長さは僅かであることを特徴とする。
【発明の効果】
【０００８】
以上のように、本発明の蝶番は、前記従来例のような２枚の羽根板を備えるものではなく、蝶番本体は１つであり、ボックス本体部に取り付けられる扉に対しては支持軸の突出端部を扉の軸受孔に嵌入させれば良く、ビスなどによる取り付けが蝶番本体側だけで良いので前記従来例に比べて取り付け作業性を向上させることができる。
【発明を実施するための最良の形態】
【０００９】
以下、本発明の一実施の形態を、図１〜図４を用いて具体的に説明する。
図において、１，２は羽根板状の蝶番本体３の一側部の上部で蝶番本体３の一方の面側で蝶番本体３に対して直角に折れ曲がり蝶番本体３と一体に設けられる上下の軸受片で、この軸受片１，２の軸挿通孔１ａ，２ａは同一鉛直線上に位置している。４はこの軸挿通孔１ａ，２ａに挿通される支持軸であって、上下の軸受片１，２の軸挿通孔１ａ，２ａで上下動自在に受けられている。この支持軸４の下端はＬ型に折り曲げられ、支持軸４を下降させた状態においてＬ型の曲がり部４ａは蝶番本体３の一側部下端に形成された係合凹部５に対して係脱自在となっている。ところで、前記支持軸４には前記上下の軸受片１，２間において位置するようにコイル状のばね６が外嵌されており、このばね６の上端は支持軸４に固定されたワッシャー７で受けられ、ばね６の下端は下側の軸受片２で受けられる。つまり、ばね６は支持軸４に外嵌した状態でワッシャー７と下側の軸受片２との間で挟まれた状態となっており、前記係合凹部５に対する支持軸４の曲がり部４ａの係合を外した状態において支持軸４はばね６により付勢されて上方に持ち上げられ、上側の軸受片１から大きく上方に突出するようになる。なお、支持軸４の曲がり部４ａを係合凹部５に対して係合させた状態においては上側の軸受片１からの支持軸４の突出長さは僅かである。そして、このとき支持軸４は下がった状態にあるので前記ワッシャー７と下側の軸受片２との間のばね６は縮んだ状態となる。８は前記蝶番本体３の他側部に近い位置に形成されたビス孔で、このビス孔８と並んで蝶番本体３の一方の面側に突部９が形成されている。
【００１０】
上記した蝶番は操作ボックスなどのボックス本体部１０の上端部にビス止めされる。詳しくは、蝶番本体３の一方の面をボックス本体部１０の蝶番取り付け面１０ａに当接させるとともに前記突部９をボックス本体部１０の蝶番取り付け面１０ａに形成した凹部に嵌入させて蝶番の位置決めをした状態でビス孔８の位置でビス１１を蝶番取り付け面１０ａ側に螺入させてボックス本体部１０の蝶番取り付け面１０ａに蝶番を取り付ける。蝶番がボックス本体部１０の上端部に取り付けられたときは前記支持軸４の折り曲げ部４ａが係合凹部５に対して係合した状態にあって支持軸４の上端は上側の軸受片１から大きく突出しておらず、かかる状態で扉１２をボックス本体部１０に近づけ、支持軸４の上端に扉１２の上端の軸受孔１３に合わせ、前記係合凹部５に対する支持軸４の折り曲げ部４ａの係合を外すことにより前記ばね６によって支持軸４は上方に押し上げられて扉１２の軸受孔１３に嵌入し、これにより扉１２の上端部はボックス本体部１０に支持されることになる。
【００１１】
なお、ボックス本体部１０の蝶番取り付け面１０ａの下端部にも同様の蝶番が取り付けられて扉１２の下端部を支持するようになっているのであるが、ボックス本体部１０の蝶番取り付け面１０ａの下端部に取り付けられる蝶番はボックス本体部１０の蝶番取り付け面１０ａの上端部に取り付けられる蝶番を上下逆にした構成を備え、すなわち、ボックス本体部の蝶番取り付け面にビス止めにて取り付けられる羽根板の一側部の下部で羽根板の一方の面側で羽根板に対して直角に折れ曲がり羽根板と一体に設けられる上下の軸受片を備え、この軸受片の軸挿通孔は同一鉛直線上に位置しており、この軸挿通孔に挿通される支持軸を備え、この支持軸の上端はＬ型に折り曲げられ、この折り曲げ部は羽根板の一側部上端に形成された係合凹部に対して係脱自在となっており、また前記支持軸には前記上下の軸受片間において位置するようにコイル状のばねが外嵌されており、このばねの下端は支持軸に固定されたワッシャーで受けられ、ばねの上端は上側の軸受片で受けられてワッシャーと上側の軸受片との間で挟まれた状態となっており、前記係合凹部に対する支持軸の折り曲げ部の係合を外した状態において支持軸はばねにより付勢されて下方に押し下げられ、下側の軸受片から大きく下方に突出するように構成されたものであって、支持軸はコイル状のばねによって下方に付勢され、下側の軸受片から突出することにより扉１２の下端部はボックス本体部１０に支持されることになる。
【００１２】
ところで、図面に示す実施の形態では前記係合凹部５に対する支持軸４の折り曲げ部４ａの係合を外すことにより前記ばね６によって支持軸４は上方に押し上げられて扉１２の軸受孔１３に嵌入し、これにより扉１２の上端部はボックス本体部１０に支持されるようになっているが、支持軸４の折り曲げ部４ａを少し押し下げて上側の軸受片１からの支持軸４の突出を無くした状態で支持軸４の上端と扉１２の軸受孔１３との位置合わせをし、かかる状態で折り曲げ部４ａを係合凹部５に係合させることにより上側の軸受片１から支持軸４の上端が僅かに突出して扉１２の軸受孔１３に嵌り込み扉１２の上端部をボックス本体部１０に支持するようにしても良い。
【００１３】
さらに、図面に示す実施の形態では蝶番本体３は羽根板状を呈し、一側部において支持軸４を支持する軸受片１，２を一体に設けているが、例えば角筒状を呈し、その内部に前記支持軸やばねなどを収納するような構成であっても良い。
【図面の簡単な説明】
【００１４】
【図１】本発明の一実施の形態における蝶番の支持軸の折り曲げ部を係合凹部に係合させた状態を示す斜視図である。
【図２】同蝶番の支持軸の折り曲げ部を係合凹部から外した状態を示す斜視図である。
【図３】同蝶番でボックス本体部に扉を支持した状態を示す要部拡大正面断面図である。
【図４】同蝶番でボックス本体部に扉を支持した状態を示す要部拡大平面断面図である。
【符号の説明】
【００１５】
１，２        軸受片
１ａ，２ａ    軸挿通孔
３            蝶番本体
４            支持軸
４ａ          曲がり部
５            係合凹部
６            ばね
７            ワッシャー
８            ビス孔
１０            ボックス本体部
１０ａ          蝶番取り付け面
１２            扉
１３            軸受孔
【図１】
2005264633.tif 000003
【図２】
2005264633.tif 000004
【図３】
2005264633.tif 000005
【図４】
2005264633.tif 000006